(57)【要約】【課題】人の手、指、及び親指を包囲する形体の、背側（２６）及び掌側（３０）を持つハンドカバー（１０）を提供する。【解決手段】ハンドカバーは、手首部分（１４）及びハンド部分（２２）を含む。ハンド部分は、ソケット（３４）持つ少なくとも一つのディジットカバーと、親指ソケット（１８）とを含む。ハンドカバーの背側には開口部（１２）が形成されており、この開口部は、親指ソケットの後方の位置（１４）から、背側を横切って、親指ソケットとは反対側のハンドカバーの側部（３８）まで延びる。開口部は、手首部分が着用者に取り付けられたままであり、着用者の手の背側を覆った状態で、着用者の指及び親指からディジットソケット及び親指ソケットを取り外すことができるように形成されている。【選択図】図１
2008540869.tif 000002
【特許請求の範囲】
【請求項１】
人の手、指、及び親指を包囲するように形成された、背側及び掌側を持つ開放可能なハンドカバーにおいて、
手首部分と、少なくとも一つのディジットソケット及び親指ソケットを含むハンド部分と、
前記ハンドカバーの前記背側に形成された、前記親指ソケットの後方の位置から前記背側を横切って前記親指ソケットとは反対側のハンドカバーの側部まで延びる、前記手首部分が着用者に取り付けられたままであり且つ着用者の手の背側を覆った状態で、前記ディジットソケット及び親指ソケットの夫々を着用者のディジット及び親指から取り外すことができるように形成された開口部とを含む、ハンドカバー。
【請求項２】
請求項１に記載のハンドカバーにおいて、更に、
着用者が前記開口部を選択的に開閉できるように前記開口部に作動的に取り付けられた閉鎖デバイスを含む、ハンドカバー。
【請求項３】
請求項１に記載のハンドカバーにおいて、
前記ハンドカバーの前記掌側は実質的に一体であり、前記ハンドカバーは、前記ハンドカバーの前記ハンド部分を着用者の指及び親指から下方に取り外すことができるように、前記掌側を曲げることができる、ハンドカバー。
【請求項４】
請求項１に記載のハンドカバーにおいて、
前記開口部は円弧状であり、前記ハンドカバーの前記背側を横切って外方に、前記ハンドカバーの指先端に向かって延びる、ハンドカバー。
【請求項５】
請求項４に記載のハンドカバーにおいて、
前記開口部は、着用者の手の指及び親指の各々の付け根の拳が形成する輪郭と対応するように賦形されている、ハンドカバー。
【請求項６】
請求項１に記載のハンドカバーにおいて、更に、
前記手首部分に作動的に連結された固定デバイスを含み、該固定デバイスは、前記ハンド部分を着用者の指及び親指から取り外したとき、着用者の剥き出しの指及び親指との干渉を制限するため、前記ハンド部分を前記手首部分の下に一時的に固定するように作動できる、ハンドカバー。
【請求項７】
請求項１に記載のハンドカバーにおいて、
前記開口部は、前記カバーの一方の側から、前記手首部分を通って後方に延び、前記ハンドカバーの手首開口部で終端し、前記開口部が開放形体にあるとき、前記ハンドカバーの内側を露呈できる、ハンドカバー。
【請求項８】
人の手、指、及び親指を包囲するように形成された、背側及び掌側を持つ開放可能なハンドカバーにおいて、
手首部分と、少なくとも一つのディジットソケット及び親指ソケットを含むハンド部分と、
前記手首部分と前記ハンド部分との間で前記ハンドカバーの前記背側に形成された円弧状開口部とを含み、該開口部により、前記手首部分が着用者に取り付けられたままであり且つ着用者の手の背側を覆った状態で、前記ディジットソケット及び親指ソケットの夫々を着用者のディジット及び親指から取り外すことができる、ハンドカバー。
【請求項９】
請求項８に記載のハンドカバーにおいて、更に、
着用者が前記開口部を選択的に開閉できるように前記円弧状開口部に作動的に取り付けられた閉鎖デバイスを含む、ハンドカバー。
【請求項１０】
請求項８に記載のハンドカバーにおいて、
前記ハンドカバーの前記掌側は実質的に一体であり、前記ハンドカバーは、前記ハンドカバーの前記ハンド部分を着用者の指及び親指から下方に取り外すことができるように、前記掌区分を曲げることができる、ハンドカバー。
【請求項１１】
請求項８に記載のハンドカバーにおいて、
前記開口部は、前記ハンドカバーの前記背側を横切って外方に、前記ハンドカバーの指先端に向かって延びる、ハンドカバー。
【請求項１２】
請求項１１に記載のハンドカバーにおいて、
前記開口部は、着用者の手の指及び親指の各々の付け根の拳が形成する輪郭と対応するように賦形されている、ハンドカバー。
【請求項１３】
請求項８に記載のハンドカバーにおいて、更に、
前記手首部分に作動的に連結された固定ストラップを含み、該固定ストラップは、前記ハンド部分を着用者の指及び親指から取り外したとき、着用者の剥き出しの指及び親指との干渉を制限するため、前記ディジット部分を前記手首部分の下に一時的に固定するように作動できる、ハンドカバー。
【請求項１４】
請求項１１に記載のハンドカバーにおいて、
前記開口部は、前記カバーの一方の側から、前記手首部分を通って後方に延び、前記ハンドカバーの手首開口部で終端し、前記開口部が開放形体にあるとき、前記ハンドカバーの内側を露呈できる、ハンドカバー。
【請求項１５】
着用者の剥き出しの指及び親指による物に対する選択的アクセスを提供しながら手を覆うための方法において、
背側及び掌側を持ち、手首部分及びハンド部分を含むハンドカバーで着用者の手を包囲する工程と、
前記ハンドカバーの前記背側に、前記ハンド部分と前記手首部分との間に形成された開口部に作動的に取り付けられた閉鎖デバイスを開放する工程と、
前記ハンドカバーを前記開口部のところで分割し、着用者の手の背部分を覆ったまま、着用者の指及び親指を露呈する工程と、
前記ハンドカバーを、前記ハンドカバーの掌側を中心として着用者の手から下方に曲げる工程とを含む、方法。
【請求項１６】
請求項１５に記載の方法において、
前記開口部は、前記ハンドカバーの前記背側を横切って外方に、前記ハンドカバーの指先端に向かって延びる、方法。
【請求項１７】
請求項１５に記載の方法において、
前記開口部は、着用者の手の指及び親指の各々の付け根の拳が形成する輪郭と対応するように賦形されている、方法。
【請求項１８】
請求項１５に記載の方法において、
前記閉鎖デバイスは、
フック−ループファスナ、ジッパー、クラスプ、及びボタンからなる群から選択される、方法。
【請求項１９】
請求項１５に記載の方法において、更に、
前記ハンド部分を前記着用者の指及び親指から取り外すとき、着用者の剥き出しの指及び親指との干渉を制限するため、前記ハンドカバーの前記ディジット部分を中心として前記手首部分に作動的に連結されたストラップを固定する工程を含む、方法。
【請求項２０】
請求項１５に記載の方法において、
前記開口部は、前記カバーの一方の側から、前記手首部分を通って後方に延び、前記ハンドカバーの手首開口部で終端し、前記開口部が開放形体にあるとき、前記ハンドカバーの内側を露呈できる、方法。
【発明の詳細な説明】
【技術分野】
【０００１】
本発明は、全体として、グローブやミトン等のハンドカバーに関する。
【背景技術】
【０００２】
グローブやミトンは、人の手を様々な環境及び使用から保護し、断熱するのに使用される。例えば、作業用グローブは、代表的には、皮革等の丈夫な材料で形成され、着用者の手を摩擦、切り傷、擦り傷、火傷、及び他の怪我から保護する。他方、スキー用グローブ又はミトンは、通常は、着用者の手を寒冷な気候条件で断熱するために着用される。
【０００３】
作業用グローブ及びスキー用グローブは、両方とも、着用者の手と比べて嵩張る大きさを備えている。このようなグローブの嵩のため、着用者は、グローブを着用した手で物をつまみ上げる触感に関し、感じがよく伝わらない。従って、グローブを着用すると、車のキー等の小さな物を器用に取り扱うのが非常に困難になる。このため、指及び親指を使う必要がある仕事を行うために手からカバーを取り外すことがしばしば必要になる。
【０００４】
しかしながら、指を使用するためにハンドカバーを完全に取り外すのは必ずしも望ましくない。グローブを完全に取り外すことが、着用者に大きな不都合を招くか或いは危険をもたらすことにしかならない場合がある。例えば、スキーのリフトに乗っているときにグローブを取り外すと、グローブをリフトから落して無くしてしまう危険が生じる。更に、産業上の特定の環境で作業用グローブを完全に取り外すと、着用者の手を受傷の危険に晒してしまう。
【０００５】
こうした問題点に対処する試みにおいて、グローブ又はミトンを取り外すことなく、着用者の指をグローブ又はミトンから取り出すことができるように様々な開口部が位置決めされた幾つかのグローブ又はミトンが開発されてきた。指から取り外すことができる取り外し自在の区分を含むハンドカバーも開発された。しかしながら、多くの場合において、指だけを露呈しても、多くの仕事を行う上で十分に手を露呈したことにならない。更に、これらの周知のシステムの多くは、多くの小さな物を取り扱うのに十分な機敏さを着用者に提供する上で適切な自由度を指に提供しない。
【発明の開示】
【発明が解決しようとする課題】
【０００６】
手の指、親指、及び掌を露呈できるハンドカバーであって、露呈時にハンドカバーの残りの部分が着用者の手首に取り付けられたままになるハンドカバーを開発するのが有利であるということがわかった。更に、指、親指、及び掌を露呈したとき、手の背側が覆われたままにしておくのが有利である。簡単に一般的な用語で述べると、本発明は、着用者が、カバーを着用者の手首から完全に取り外すことなく、彼の又は彼女の指及び親指をカバーの外に出すことができる、部分的に取り外すことができるハンドカバーに関する。
【課題を解決するための手段】
【０００７】
本発明の一つの特徴によれば、ハンドカバーは、人の手、指、及び親指を包囲するように形成できる。ハンドカバーは、背側及び掌側を有する。ハンドカバーは、更に、手首部分及びハンド部分を含む。ハンド部分は、少なくとも一つのディジットソケット及び親指ソケットを含む。開口部がハンドカバーの背側に形成され、親指ソケットの後方の位置から、背側を横切って親指ソケットとは反対側のハンドカバーの側部まで延びている。開口部は、ディジットソケット及び親指ソケットを、着用者のディジット（親指以外の指）及び親指から取り外すことができるように形成できる。この際、手首部分は着用者に取り付けられたままであり、着用者の手の背側を覆っている。本発明の一つの特徴では、着用者が開口部を選択的に開閉できるように、閉鎖デバイスを開口部に作動的に取り付けることができる。
【０００８】
本発明の別の特徴によれば、着用者の指及び親指による物への選択的アクセスを提供しながら手を覆うための方法は、着用者の手をハンドカバーで包囲する工程を含む。ハンドカバーの背側にハンド部分と手首部分との間に形成された開口部に閉鎖デバイスを作動的に取り付けることができる。着用者の手の背部分を覆ったまま、ハンドカバーを開口部のところで分割し、着用者の指及び親指を露呈できる。ハンドカバーは、その掌側で、着用者の手から下方に曲げることができる。
【０００９】
本発明の別の特徴によれば、人の手、指、及び親指を包囲し、背側及び掌側を有するように開放可能なハンドカバーを形成できる。開放可能なハンドカバーは、更に、手首部分及びハンド部分を含む。ハンド部分は、少なくとも一つのディジットソケット及び親指ソケットを含む。ハンドカバーの背側に、手首部分とハンド部分との間に円弧状開口部を形成できる。円弧状開口部は、手首部分が着用者に取り付けられたままであり且つ着用者の手の背側を覆った状態で、ディジットソケット及び親指ソケットを着用者のディジット及び親指から夫々取り外すことができるように形成できる。着用者が開口部を選択的に開閉できるように、閉鎖デバイスを円弧状開口部に作動的に取り付けることができる。
【００１０】
本発明の追加の特徴及び利点は、添付図面を参照して以下の説明を読むことにより、明らかになるであろう。添付図面及び以下の説明は、本発明の特徴を例示する。
次に、例示の実施例を参照し、特定の用語を使用してここに説明する。それにも関わらず、これによって本発明の範囲を限定しようとするものではないということは理解されよう。
【発明を実施するための最良の形態】
【００１１】
次に、添付図面に示す例示の実施例を参照し、特定の用語を使用してここに説明する。それにも関わらず、これによって本発明の範囲を限定しようとするものではないということは理解されよう。本開示を入手した当業者が思いつく、本明細書中に例示した本発明の特徴の変形及び変更、及び本明細書中に例示した本明細書の原理の追加の適用は、本発明の範囲に含まれるものと考えられる。以下の詳細な説明及び本発明の例示の実施例は、本発明のエレメント及び特徴に参照番号を付した添付図面を参照することによって最もよく理解されよう。
【００１２】
本発明は、背部をそのままにした状態で指部及び親指部を取り外して手の掌を露呈できるように形成されたグローブやミトン等のハンドカバーに関する。このハンドカバーは、ハンドカバーを手から部分的に取り外したとき、手とハンドカバーとの間の干渉を減少する。ハンドカバーは、建設業や製造業等を含む様々な用途で使用できる。更に、ハンドカバーは、断熱材で形成されている場合には、屋外作業、スキー、スノーモービルの運転、穴釣り等の様々な屋外活動で使用する上で有利である。
【００１３】
図１、図２、及び図３に示すように、本発明の例示の実施例による開放可能なハンドカバーは、人の手、指、及び親指を取り囲むミトンとして形成されていてもよい。ハンドカバーは、背側２６及び掌側３０を有する。ハンドカバー１０は、手首部分１４、及びハンド部分２２を含む。ハンド部分は、親指ソケット１８及びその他の指用のディジットソケット３４を含む。ハンド部分２２は、少なくとも一部が手首部分１４に一体に接合されている。
【００１４】
本明細書中で使用されているように、ハンドカバーの「背側」２６という用語は、カバーが被せられる人の手の甲即ち背側と対応するハンドカバーの側部に関するものと理解されるべきである。同様に、ハンドカバーの「掌側」３０という用語は、カバーが被せられる人の手の掌と対応する、ハンドカバーの反対側の側部に関するものと理解されるべきである。本明細書中の議論において、ハンドカバーは、全体として、少なくとも二つの区分、即ち指及び親指を覆うハンドカバーの部分を含むがこれに限定されない「ハンド部分」２２と、手首を覆うハンドカバーの部分を含むがこれに限定されない「手首部分」１４とで形成されるということは理解されるべきである。
【００１５】
開口部４２は、ハンドカバー１０の背側２６に形成されていてもよい。開口部４２は、親指ソケット１８の後方の位置４６から、ハンドカバーの背側２６を横切って、親指ソケット１８とは反対側のハンドカバーの側部３８まで延びていてもよい。開口部４２により、ディジットソケット３４及び親指ソケット１８を着用者の指（図２及び図３に参照番号５４で示す）及び親指（図２及び図３に参照番号５８で示す）から取り外すことができる。開口部４２は、円弧状であってもよいし、ハンドカバー１０の背側２６を横切って、ハンドカバー１０の指先端３２に向かって外方に延びていてもよい。更に、開口部４２は、着用者の手の指及び親指の各々の付け根の拳が形成する輪郭と対応する形状を備えていてもよい。開口部４２は、図２及び図３に示すように、ディジットソケット３４及び親指ソケット１８を着用者の指及び親指から取り外した開放位置と、着用者の指及び親指を覆った、図１に示す閉鎖位置を備えていてもよい。
【００１６】
図２及び図３に示すように、ディジットソケット３４及び親指ソケット１８は、着用者の指及び親指から取り外したとき、手首部分１４に取り付けられたままであり、手首部分１４は着用者に取り付けられたままである。このようにして、ディジットソケット３４及び親指ソケット１８を着用者の指５４及び親指５８から取り外したとき、手首部分１４は着用者の手の背側５０を覆ったままである。ハンドカバー１０の掌側３０は、手首部分１４と実質的に一体であってもよい。ハンドカバー１０は、ハンドカバー１０のハンド部分２２を着用者の指５４及び親指５８から下方に取り外すことができるように、掌側３０のハンド部分２２に亘って曲げることができる。かくして、ディジットソケット３４及び親指ソケット１８は、着用者の指５４及び親指５８から取り外したとき、着用者の手の掌側５２から遠ざかるようにカバー１０の手首部分１４に向かって曲げることができる。このようにして、指及び親指は、ディジットソケット３４及び親指ソケット１８による干渉なしで物を自由に取り扱う。ディジットソケット３４及び親指ソケット１８は、そうでない場合には、指及び親指の真下にある。
【００１７】
本発明の一つの特徴では、閉鎖デバイス６２を開口部４２に作動的に取り付けることができる。閉鎖デバイス６２により、開口部４２を選択的に開閉できる。閉鎖デバイスを図１乃至図５に全体としてジッパーとして示すが、当該技術分野で周知の他の適当な閉鎖デバイスを使用してもよいということは理解されよう。例えば、閉鎖デバイスは、フック−ループファスナ、クラスプ、ボタン、可撓性コード、スナップ、又はハンドカバー材料の重なりフラップであってもよい。
【００１８】
固定デバイス６４が手首部分１４に作動的に連結されていてもよい。固定デバイス６４は、ハンド部分２２を手首部分１４の下に一時的に固定する働きを提供する。固定位置では、ハンド部分２２を着用者の指５４及び親指５８から取り外して手首部分１４に向かって曲げた場合のハンド部分２２と着用者の剥き出しの指５４及び親指５８との間の干渉が減少する。固定ストラップを、全体として伸び縮みするコードとして示したが、当該技術分野で周知の他の適当な固定デバイスを使用してもよいということは理解されよう。例えば、固定デバイスは、フック−ループファスナ、クラスプ、ボタン、可撓性コード、スナップ、等であってもよい。本発明の一つの特徴では、解放自在のストラップ（図３に参照番号３１で示す）を設けてもよい。このストラップ３１は、「通常」使用中には、手首部分を着用者の手首の周囲に締め付ける働きを提供し、この位置から解放でき、ハンド部分を手首部分の下に折り畳んだとき、ハンド部分の周囲に巻き付けて手首部分及びハンド部分の両方の周囲で再度締め付け、指及び親指が動く範囲の外にハンド部分を固定する。解放自在のストラップは、これらの位置の両方で、バックル、フック−ループ、及びファスナ等で固定できる。解放自在のストラップは、更に、ストラップを延ばして、ハンドカバー区分を更にぴったりと固定できるように、弾性材料から形成されていてもよいし弾性材料を含んでもよい。
【００１９】
次に、図４を参照すると、この図には、本発明の別の実施例によるハンドカバー１００が示してある。この実施例では、ハンドカバーは、人の手、指、及び親指を取り囲むグローブとして形成されている。ハンドカバー１００は、開口部１４６が開放位置で示してある。この実施例では、ハンド部分１２２は、複数のフィンガソケット１３４及び親指ソケット１１８を含む。開口部１４６は、手首部分１１４を通って後方に延び、カバーの手首開口部１６４で終端してもよい。閉鎖デバイス１６２は、開口部を幾分か又は全体に開放又は閉鎖するため、開口部１４６の長さに亘って延びていてもよい。
【００２０】
次に図５を参照すると、一対のハンドカバー２１０が示してある。これらのハンドカバーの各々は、全開位置にある。この実施例では、開口部１４６は、ハンドカバー１１０の一方の側１３８から、後方に手首部分１１４を通って延び、カバーの手首開口部１６４で終端する。この方法では、開口部１４６が開放位置にあるとき、ハンドカバー２１０の内側１６８を実質的に完全に露呈できる。この実施例は、開放可能なハンドカバーが提供されるという点で有利であり、更に、ハンドカバーの内部を通気するために完全に開放できるという利点を有する。この形体は、有利には、汗、雨、雪、等で濡れてしまった後、ハンドカバーの内部を乾燥させるのに有利に使用できる。
【００２１】
添付図面には示してないけれども、本発明の一つの特徴では、ハンドカバーは、ハンドカバーと着用者の手との間に内ライナが配置されていてもよい。このライナは、グローブ内からの水分の吸収を促し、汗や水を除去して着用者の手と接触しないようにするのを補助するため、軟質で比較的吸収性の材料で形成されていてもよい。内ライナは、ライナを、着用者の手の背側を覆ったまま、着用者の指から選択的に取り外すことができるように、形状及び機能が開口部４２と同様の開口部を備えていてもよい。
【００２２】
本発明は、更に、上文中に論じた構造に加え、着用者の剥き出しの指及び親指による物に対する選択的アクセスを提供しながら、手を覆う方法を提供する。この方法は、背側及び掌側を持ち、手首部分及びハンド部分を含むハンドカバーで着用者の手を包囲する工程を含む。ハンドカバーの背側にハンド部分と手首部分との間に形成された開口部に閉鎖デバイスを作動的に取り付けることができ、このデバイスを開放できる。方法は、ハンドカバーを開口部のところで分割し、着用者の手の背部を覆ったまま、着用者の指及び親指を露呈する工程を含んでもよい。方法は、ハンドカバーを、ハンドカバーの掌側を中心として着用者の手から下方に曲げる工程を含んでいてもよい。
【００２３】
以上の例は、一つ又はそれ以上の特定の用途における本発明の原理を例示するものであるが、実施において形体、使用、及び詳細の多くの変更を、発明の才能を用いることなく、及び本発明の原理及び概念から逸脱することなく行うことができるということは当業者には明らかであろう。従って、本発明は、特許請求の範囲のみによって制限される。
【図面の簡単な説明】
【００２４】
【図１】図１は、本発明の１実施例によるハンドカバーの斜視図である。
【図２】図２は、開放形体の図１のハンドカバーを左から見た斜視図である。
【図３】図３は、図１のハンドカバーを上左から見た斜視図である。
【図４】図４は、本発明の別の実施例の開放形体での斜視図である。
【図５】図５は、取り外した状態の開放形体の図４のハンドカバーを上から見た斜視図である。
【符号の説明】
【００２５】
１０  ハンドカバー
１４  手首部分
１８  親指ソケット
２２  ハンド部分
２６  背側
３０  掌側
３２  指先端
３４  ディジットソケット
３８  側部
４２  開口部
５４  指
５８  親指
【図１】
2008540869.tif 000003
【図２】
2008540869.tif 000004
【図３】
2008540869.tif 000005
【図４】
2008540869.tif 000006
【図５】
2008540869.tif 000007
【国際調査報告】
2008540869.tif 000008
2008540869.tif 000009